(57)【要約】【課題】道路設備の異常を早期に検知することができる道路異常検知装置、道路異常検知方法および道路異常検知プログラムを提供すること。【解決手段】道路異常検知装置は、メモリと、ハードウェアを有するプロセッサと、を備え、プロセッサが、走行中の車両から、道路上または道路周辺の画像を示す道路画像と、道路画像が撮像された位置を示す撮像位置情報とを受信し、道路画像および撮像位置情報に基づいて、道路画像に含まれる道路設備と、道路設備の位置とを認識し、道路画像に含まれる道路設備と、予め用意した正解情報とを比較することにより、道路設備の異常の有無を判定し、道路設備の異常があると判定した場合、異常のあった道路設備の位置を示す設備位置情報を前記メモリに蓄積する。【選択図】図１
2020170314.tif 000002
【特許請求の範囲】
【請求項１】
メモリと、
ハードウェアを有するプロセッサと、
を備え、
前記プロセッサは、
走行中の車両から、道路上または道路周辺の画像を示す道路画像と、前記道路画像が撮像された位置を示す撮像位置情報とを受信し、
前記道路画像および前記撮像位置情報に基づいて、前記道路画像に含まれる道路設備と、前記道路設備の位置とを認識し、
前記道路画像に含まれる道路設備と、予め用意した正解情報とを比較することにより、前記道路設備の異常の有無を判定し、
前記道路設備の異常があると判定した場合、異常のあった道路設備の位置を示す設備位置情報を前記メモリに蓄積する、
道路異常検知装置。
【請求項２】
前記プロセッサは、前記道路画像において、隣接する画素同士の画素値を比較することにより、前記道路画像に含まれる道路設備を認識する請求項１に記載の道路異常検知装置。
【請求項３】
前記プロセッサは、前記道路設備の異常があると判定した場合、異常のあった道路設備の設備位置情報に加えて、異常のあった道路設備を含む道路画像を前記メモリに蓄積する請求項１または請求項２に記載の道路異常検知装置。
【請求項４】
前記プロセッサは、同一の道路設備についての前記設備位置情報が、前記メモリに所定量以上蓄積された場合、前記設備位置情報を、道路管理者が管理するサーバに送信する請求項１に記載の道路異常検知装置。
【請求項５】
前記道路設備は、道路上に表示された道路標示と、道路上または道路周辺に設けられた構造物とを含む請求項１から請求項４のいずれか一項に記載の道路異常検知装置。
【請求項６】
道路異常検知装置が実行する道路異常検知方法であって、
前記道路異常検知装置のプロセッサが、
走行中の車両から、道路上または道路周辺の画像を示す道路画像と、前記道路画像が撮像された位置を示す撮像位置情報とを受信し、
前記道路画像および前記撮像位置情報に基づいて、前記道路画像に含まれる道路設備と、前記道路設備の位置とを認識し、
前記道路画像に含まれる道路設備と、予め用意した正解情報とを比較することにより、前記道路設備の異常の有無を判定し、
前記道路設備の異常があると判定した場合、異常のあった道路設備の位置を示す設備位置情報を前記道路異常検知装置のメモリに蓄積する、
道路異常検知方法。
【請求項７】
道路異常検知装置に実行させる道路異常検知プログラムであって、
走行中の車両から、道路上または道路周辺の画像を示す道路画像と、前記道路画像が撮像された位置を示す撮像位置情報とを受信し、
前記道路画像および前記撮像位置情報に基づいて、前記道路画像に含まれる道路設備と、前記道路設備の位置とを認識し、
前記道路画像に含まれる道路設備と、予め用意した正解情報とを比較することにより、前記道路設備の異常の有無を判定し、
前記道路設備の異常があると判定した場合、異常のあった道路設備の位置を示す設備位置情報を前記道路異常検知装置のメモリに蓄積する、
道路異常検知プログラム。
【発明の詳細な説明】
【技術分野】
【０００１】
本発明は、道路異常検知装置、道路異常検知方法および道路異常検知プログラムに関する。
【背景技術】
【０００２】
特許文献１には、路面に施工された道路標示を斜め上方から撮影し、撮影した画像をホモグラフィ変換により俯瞰図状に補正し、その補正画像から道路標示の劣化状態を判別する方法が開示されている。
【先行技術文献】
【特許文献】
【０００３】
【特許文献１】特開２０１７−２０３０３号公報
【発明の概要】
【発明が解決しようとする課題】
【０００４】
ここで、例えば自動運転時や白線等を検知する必要のある走行（例えば同一車線走行）において、白線が薄くなっていたり消えていたりすると、走行の正確性が低下する。そのため、白線等の道路設備に異常がある場合、早期に検知して補修を行う必要がある。しかしながら、特許文献１で開示された技術では、道路設備の異常を早期に検知することが困難であった。
【０００５】
本発明は、上記に鑑みてなされたものであって、道路設備の異常を早期に検知することができる道路異常検知装置、道路異常検知方法および道路異常検知プログラムを提供することを目的とする。
【課題を解決するための手段】
【０００６】
上述した課題を解決し、目的を達成するために、本発明に係る道路異常検知装置は、メモリと、ハードウェアを有するプロセッサと、を備え、前記プロセッサが、走行中の車両から、道路上または道路周辺の画像を示す道路画像と、前記道路画像が撮像された位置を示す撮像位置情報とを受信し、前記道路画像および前記撮像位置情報に基づいて、前記道路画像に含まれる道路設備と、前記道路設備の位置とを認識し、前記道路画像に含まれる道路設備と、予め用意した正解情報とを比較することにより、前記道路設備の異常の有無を判定し、前記道路設備の異常があると判定した場合、異常のあった道路設備の位置を示す設備位置情報を前記メモリに蓄積する。
【０００７】
これにより、道路異常検知装置は、走行中の車両から受信した道路画像を画像認識処理することにより、道路設備の異常の有無を早期に検知することができる。
【０００８】
また、本発明に係る道路異常検知装置は、上記発明において、前記プロセッサが、前記道路画像において、隣接する画素同士の画素値を比較することにより、前記道路画像に含まれる道路設備を認識してもよい。
【０００９】
これにより、道路異常検知装置は、道路画像の画像処理を行う際に、隣接する画素同士の画素値、例えば各画素の輝度値を比較することにより、道路画像に含まれる道路設備を認識することができる。
【００１０】
また、本発明に係る道路異常検知装置は、上記発明において、前記プロセッサが、前記道路設備の異常があると判定した場合、異常のあった道路設備の設備位置情報に加えて、異常のあった道路設備を含む道路画像を前記メモリに蓄積してもよい。
【００１１】
これにより、道路異常検知装置は、異常のあった道路設備の位置に加えて、道路設備の画像を収集することにより、道路設備に発生している異常の詳細を確認することができる。
【００１２】
また、本発明に係る道路異常検知装置は、上記発明において、前記プロセッサが、同一の道路設備についての前記設備位置情報が、前記メモリに所定量以上蓄積された場合、前記設備位置情報を、道路管理者が管理するサーバに送信してもよい。
【００１３】
これにより、道路異常検知装置は、異常のあった道路設備の位置を道路管理者側に通知することにより、当該道路設備を早期に補修することができる。
【００１４】
また、本発明に係る道路異常検知装置は、上記発明において、前前記道路設備が、道路上に表示された道路標示と、道路上または道路周辺に設けられた構造物とを含んでもよい。
【００１５】
これにより、道路異常検知装置は、道路上に表示された道路標示および道路上または道路周辺に設けられた構造物に発生した異常を早期に検知することができる。
【００１６】
上述した課題を解決し、目的を達成するために、本発明に係る道路異常検知方法は、道路異常検知装置が実行する道路異常検知方法であって、前記道路異常検知装置のプロセッサが、走行中の車両から、道路上または道路周辺の画像を示す道路画像と、前記道路画像が撮像された位置を示す撮像位置情報とを受信し、前記道路画像および前記撮像位置情報に基づいて、前記道路画像に含まれる道路設備と、前記道路設備の位置とを認識し、前記道路画像に含まれる道路設備と、予め用意した正解情報とを比較することにより、前記道路設備の異常の有無を判定し、前記道路設備の異常があると判定した場合、異常のあった道路設備の位置を示す設備位置情報を前記道路異常検知装置のメモリに蓄積する。
【００１７】
これにより、道路異常検知方法は、走行中の車両から受信した道路画像を画像認識処理することにより、道路設備の異常の有無を早期に検知することができる。
【００１８】
上述した課題を解決し、目的を達成するために、本発明に係る道路異常検知プログラムは、道路異常検知装置に実行させる道路異常検知プログラムであって、走行中の車両から、道路上または道路周辺の画像を示す道路画像と、前記道路画像が撮像された位置を示す撮像位置情報とを受信し、前記道路画像および前記撮像位置情報に基づいて、前記道路画像に含まれる道路設備と、前記道路設備の位置とを認識し、前記道路画像に含まれる道路設備と、予め用意した正解情報とを比較することにより、前記道路設備の異常の有無を判定し、前記道路設備の異常があると判定した場合、異常のあった道路設備の位置を示す設備位置情報を前記道路異常検知装置のメモリに蓄積する。
【００１９】
これにより、道路異常検知プログラムは、走行中の車両から受信した道路画像を画像認識処理することにより、道路設備の異常の有無を早期に検知することができる。
【発明の効果】
【００２０】
本発明によれば、走行中の車両から収集した道路画像に基づいて、道路設備の異常を早期に検知することができる。
【図面の簡単な説明】
【００２１】
【図１】図１は、本発明の実施形態に係る道路異常検知装置を適用可能な道路異常検知システムを概略的に示すブロック図である。
【図２】図２は、本発明の実施形態に係る道路異常検知装置が対象とする道路設備の一例を示す概略図である。
【図３】図３は、本発明の実施形態に係る道路異常検知方法の処理手順を示すフローチャートである。
【図４】図４は、本発明の実施形態に係る道路異常検知方法の処理手順の変形例を示すフローチャートである。
【発明を実施するための形態】
【００２２】
実施形態に係る道路異常検知装置、道路異常検知方法および道路異常検知プログラムについて、図面を参照しながら説明する。なお、下記実施形態における構成要素には、当業者が置換可能かつ容易なもの、あるいは実質的に同一のものが含まれる。
【００２３】
（道路異常検知システム）
まず、実施形態に係る道路異常検知装置を適用可能な道路異常検知システムについて、図１を参照しながら説明する。道路異常検知システムは、処理サーバ１と、車両２と、道路管理者サーバ３と、を有している。本実施形態に係る道路異常検知装置は、具体的には処理サーバ１によって構成されている。また、車両２は、道路を走行している一台の車両２でもよく、あるいは複数台の車両２であってもよい。
【００２４】
処理サーバ１、車両２および道路管理者サーバ３は、ネットワークＮＷを通じて相互に通信可能である。このネットワークＮＷは、例えばインターネット回線網や携帯電話回線網等から構成される。
【００２５】
（処理サーバ）
次に、処理サーバ１の構成について、図１および図２を参照しながら説明する。処理サーバ１は、車両２から受信した画像（道路画像）を処理するものであり、制御部１１と、通信部１２と、記憶部１３と、を備えている。
【００２６】
制御部１１は、具体的には、ＣＰＵ（Central  Processing  Unit）、ＤＳＰ（Digital  Signal  Processor）、ＦＰＧＡ（Field-Programmable  Gate  Array）等からなるプロセッサと、ＲＡＭ（Random  Access  Memory）やＲＯＭ（Read  Only  Memory）等からなるメモリ（主記憶部）と、を備えている（いずれも図示省略）。
【００２７】
制御部１１は、記憶部１３に格納されたプログラムを主記憶部の作業領域にロードして実行し、プログラムの実行を通じて各構成部等を制御することにより、所定の目的に合致した機能を実現する。制御部１１は、プログラムの実行を通じて、画像認識部１１１として機能する。なお、画像認識部１１１の詳細については後記する。
【００２８】
通信部１２は、例えばＬＡＮ（Local  Area  Network）インターフェースボード、無線通信のための無線通信回路等から構成される。通信部１２は、公衆通信網であるインターネット等のネットワークＮＷに接続されている。そして、通信部１２は、当該ネットワークＮＷに接続することにより、処理サーバ１および道路管理者サーバ３との間で通信を行う。
【００２９】
記憶部１３は、ＥＰＲＯＭ（Erasable  Programmable  ROM）、ハードディスクドライブ（ＨＤＤ、Hard  Disk  Drive）およびリムーバブルメディア等の記録媒体から構成される。リムーバブルメディアとしては、例えばＵＳＢ（Universal  Serial  Bus）メモリ、ＣＤ（Compact  Disc）、ＤＶＤ（Digital  Versatile  Disc）、ＢＤ（Blu-ray（登録商標）  Disc）のようなディスク記録媒体が挙げられる。また、記憶部１３には、オペレーティングシステム（Operating  System：ＯＳ）、各種プログラム、各種テーブル、各種データベース等が格納可能である。
【００３０】
記憶部１３は、正解情報ＤＢ１３１と、異常情報ＤＢ１３２と、を備えている。これらのデータベース（ＤＢ）は、前記したプロセッサによって実行されるデータベース管理システム（Database  Management  System：ＤＢＭＳ）のプログラムが、記憶部１３に記憶されるデータを管理することによって構築される。
【００３１】
正解情報ＤＢ１３１は、例えば、複数の正解情報が索出可能に格納されたリレーショナルデータベースによって構成されている。この正解情報は、車両２から送信される道路画像に含まれている道路設備に異常があるかないかを判定するための基準となる情報である。
【００３２】
ここで、「道路画像」とは、道路上または道路周辺を撮像した画像を示している。また、「道路設備」とは、道路上に表示された道路標示と、道路上または道路周辺に設けられた構造物と、を含んでいる。
【００３３】
前記した「道路標示」としては、例えば図２に示すように、実線からなる中央線Ｒｓ１、破線からなる中央線Ｒｓ２、外側線Ｒｓ３、停止線Ｒｓ４、横断歩道Ｒｓ５、横断歩道予告標示Ｒｓ６、速度規制標示Ｒｓ７、右折矢印Ｒｓ８等や、外国の道路に設けられているボッツドッツ等の道路区画線等が挙げられる。
【００３４】
前記した「構造物」としては、例えば道路周辺に設けられたガードレールＲｓ９や、案内標識、警戒標識、規制標識および指示標識等の道路標識が挙げられる。なお、道路標示および建造物は、同図に示したものには限定されず、交通法規等に基づいて道路上または道路周辺に設置されるもの全てが含まれる。
【００３５】
正解情報ＤＢ１３１に格納された正解情報は、例えばその場所にあるべき道路設備の種類や、当該道路設備の形状等を含む情報であり、地図情報や画像データ等の種々の情報として格納されている。これらの正解情報は、制御部１１によって、ネットワークＮＷを通じて外部から収集されたり、あるいは作業者によって手動で入力されたりすることにより、正解情報ＤＢ１３１として構築される。なお、正解情報の収集方法は、これらの方法に限定されない。
【００３６】
異常情報ＤＢ１３２は、例えば、複数の異常情報が索出可能に格納されたリレーショナルデータベースによって構成されている。この異常情報は、異常のあった道路設備に関する情報であり、例えば後記するように、異常のあった道路設備の位置を示す設備位置情報と、当該道路設備を含む道路画像と、当該道路設備の異常の原因と、が含まれる。
【００３７】
（車両）
次に、車両２の構成について、図１を参照しながら説明する。車両２は、外部と通信可能な移動体であり、制御部２１と、通信部２２と、記憶部２３と、測位部２４と、撮像部２５と、を備えている。制御部２１および記憶部２３は、物理的には前記した制御部１１および記憶部１３と同様である。
【００３８】
制御部２１は、車両２に搭載される各種構成要素の動作を統括的に制御する。また、制御部２１は、撮像部２５から入力された道路画像に対して、測位部２４から入力された車両２の位置情報を関連付けて記憶部２３に格納する。すなわち、制御部２１は、撮像部２５が撮像した道路画像に対して、当該道路画像が撮像された位置を示す撮像位置情報を関連付けて記憶部２３に格納する。
【００３９】
通信部２２は、例えばＤＣＭ（Data  Communication  Module）等から構成され、ネットワークＮＷを介した無線通信により、処理サーバ１との間で通信を行う。記憶部２３は、道路画像ＤＢ２３１を備えている。道路画像ＤＢ２３１は、撮像部２５によって撮像された道路画像が索出可能に格納された例えばリレーショナルデータベース（ＲＤＢ）である。なお、これらの道路画像には、撮像位置情報が関連付けられている。
【００４０】
測位部２４は、ＧＰＳ（Global  Positioning  System）衛星（図示せず）からの電波を受信して、車両２の現在の位置を検出する。そして、測位部２４は、検出した現在の車両２の位置に関する情報（以下、「車両位置情報」という）を、制御部２１に対して出力する。なお、車両２の現在の位置を検出する方法として、例えばＬｉＤＡＲ（Light  Detection  and  Ranging、Laser  Imaging  Detection  and  Ranging）と３次元デジタル地図とを組み合わせた方法を利用してもよい。
【００４１】
撮像部２５は、例えば車両２の車体前方に取り付けられた撮像カメラ等であり、車両２の走行中に車両２の前方の道路画像を撮像し、撮像した道路画像を制御部２１に対して出力する。なお、「道路画像」は、静止画データであっても、動画データであってもよく、あるいは時間的に連続した静止画データを複数用いて生成された動画データであってもよい。
【００４２】
（道路管理者サーバ）
次に、道路管理者サーバ３の構成について、図１を参照しながら説明する。道路管理者サーバ３は、道路管理者が管理するサーバである。この道路管理者は、道路設備の補修義務を負っている者であり、例えば東京２３区、都道府県、市町村等の地方公共団体や、公安委員会等が含まれる。
【００４３】
（道路異常検知方法）
次に、道路異常検知装置が実行する道路異常検知方法について、図３を参照しながら説明する。
【００４４】
まず、車両２は、撮像部２５によって走行中の道路を撮像する（ステップＳ１）。続いて、車両２は、撮像した道路画像と、当該道路画像の撮像位置情報とを、処理サーバ１に対して所定のタイミングで定期的に送信する（ステップＳ２）。なお、所定のタイミングとしては、例えば所定時間間隔の周期的なタイミングや、車両２が所定位置を通過するタイミング等の、種々のタイミングを設定可能である。
【００４５】
続いて、処理サーバ１は、車両２から道路画像および撮像位置情報を受信した後、画像認識部１１１によって道路画像の画像認識処理を行う（ステップＳ３）。画像認識部１１１は、道路画像および撮像位置情報に基づいて、公知の画像認識処理技術を利用して、道路画像に含まれる道路設備と、当該道路設備の位置を認識する。なお、「道路設備の位置」とは、当該道路設備が設置されている座標（経度、緯度）のことを示している。
【００４６】
画像認識部１１１は、具体的には、道路画像において、隣接する画素同士の画素値、例えば各画素の輝度値を比較することにより、道路画像に含まれている道路設備の種類を認識する。また、画像認識部１１１は、例えば道路画像に含まれる道路設備の奥行距離を推定する等の方法により、道路設備の位置を認識する。
【００４７】
続いて、画像認識部１１１は、道路設備の異常の有無を判定する（ステップＳ４）。画像認識部１１１は、具体的には、道路画像に含まれる道路設備と、予め用意され、かつ正解情報ＤＢ１３１に格納された正解情報とを比較することにより、道路設備の異常の有無を判定する。
【００４８】
ステップＳ４において、道路設備に異常なしと判定した場合（ステップＳ４でＮｏ）、画像認識部１１１は、ステップＳ３に戻る。一方、ステップＳ４において、道路設備に異常ありと判定した場合（ステップＳ４でＹｅｓ）、画像認識部１１１は、異常の原因を特定する（ステップＳ５）。
【００４９】
ここで、道路設備の異常としては、破損、摩耗、泥による汚れ、枯葉やゴミ等の体積等が考えられる。例えば道路設備が道路中央に引かれた中央線Ｒｓ１（図２参照）である場合を考える。この場合、画像認識部１１１は、中央線Ｒｓ１が欠損しており、ステップＳ４で「異常あり」と判定した場合、公知の画像認識処理技術を利用して、例えばその異常が破損、摩耗、泥による汚れ、枯葉やゴミ等の、いずれの理由によるものなのかを特定する。
【００５０】
続いて、処理サーバ１の制御部１１は、画像認識処理結果のデータを蓄積する（ステップＳ６）。本ステップにおいて、制御部１１は、少なくとも異常のあった道路設備の位置を示す設備位置情報を、異常情報として記憶部１３の異常情報ＤＢ１３２に格納する。また、本ステップにおいて、制御部１１は、異常のあった道路設備の設備位置情報に加えて、異常のあった道路設備を含む道路画像と、当該道路設備の異常の原因とを、異常情報として異常情報ＤＢ１３２に格納してもよい。このように、異常のあった道路設備の位置に加えて、道路設備の画像や異常の原因を収集することにより、道路設備に発生している異常の詳細を確認することができる。
【００５１】
続いて、制御部１１は、道路設備の異常の発生を道路管理者に通知する（ステップＳ７）。制御部１１は、具体的には、異常情報ＤＢ１３２に蓄積した異常情報を道路管理者サーバ３に送信することにより、道路設備の異常の発生を道路管理者に通知する。なお、道路管理者サーバ３に送信する異常情報は、少なくとも異常のあった道路設備の設備位置情報を含み、好ましくは異常のあった道路設備を含む道路画像と、当該道路設備の異常の原因とを含む。このように、異常のあった道路設備の位置を道路管理者側に通知することにより、当該道路設備を早期に補修することができる。
【００５２】
なお、制御部１１は、同一の道路設備についての異常情報が異常情報ＤＢ１３２に所定量蓄積された場合に、異常情報を道路管理者サーバ３に送信してもよい。すなわち、制御部１１は、例えば複数の車両２によって撮像された同一の道路設備を含む道路画像についてそれぞれ画像認識処理（ステップＳ４参照）を行った結果、いずれも「異常あり」と判定した場合にのみ、道路設備の異常の発生を道路管理者に通知してもよい。これにより、道路設備に異常が発生した可能性が高い場合にのみ、道路設備の異常の発生を道路管理者に通知することができる。
【００５３】
以上説明したような実施形態に係る道路異常検知装置、道路異常検知方法および道路異常検知プログラムによれば、走行中の車両２から受信した道路画像を画像認識処理することにより、道路設備の異常の有無を早期に検知することができる。また、実施形態に係る道路異常検知装置、道路異常検知方法および道路異常検知プログラムによれば、複数の車両２から道路画像を収集し、当該道路画像に含まれる道路設備の異常の有無を判定することができるため、広範囲に設置された道路設備の異常の有無を検知することができる。また、実施形態に係る道路異常検知装置、道路異常検知方法および道路異常検知プログラムによれば、例えば道路設備の異常情報を、道路の補修を担う道路管理者（地方公共団体や公安委員会等）に販売することもできる。
【００５４】
（変形例）
ここで、図３で説明した道路異常検知方法では、車両２側で道路画像の撮像のみを行い、処理サーバ１側で画像認識処理を行っていたが、車両２側で画像認識処理までを行ってもよい。以下、実施形態に係る道路異常検知方法の変形例について、図４を参照しながら説明する。なお、同図のステップＳ１，Ｓ６，Ｓ７の内容は、図３に示した道路異常検知方法のステップＳ１，Ｓ６，Ｓ７の内容と同様であるため、説明を省略する。
【００５５】
車両２の制御部２１は、ステップＳ１に続いて、道路画像の画像認識処理を行う（ステップＳ１３）。制御部２１は、道路画像および撮像位置情報に基づいて、公知の画像認識処理技術を利用して、道路画像に含まれる道路設備と、当該道路設備の位置を認識する。
【００５６】
制御部２１は、具体的には、道路画像において、隣接する画素同士の画素値、例えば各画素の輝度値を比較することにより、道路画像に含まれている道路設備の種類を認識する。また、制御部２１は、例えば道路画像に含まれる道路設備の奥行距離を推定する等の方法により、道路設備の位置を認識する。
【００５７】
続いて、制御部２１は、道路設備の異常の有無を判定する（ステップＳ１４）。制御部２１は、具体的には、道路画像に含まれる道路設備と、予め用意された正解情報とを比較することにより、道路設備の異常の有無を判定する。なお、前記した正解情報は、車両２の記憶部２３に予め格納しておいてもよく、あるいは処理サーバ１の正解情報ＤＢ１３１からその都度取得してもよい。
【００５８】
ステップＳ１４において、道路設備に異常なしと判定した場合（ステップＳ１４でＮｏ）、制御部２１は、ステップＳ１３に戻る。一方、ステップＳ１４において、道路設備に異常ありと判定した場合（ステップＳ１４でＹｅｓ）、制御部２１は、異常の原因を特定する（ステップＳ１５）。
【００５９】
続いて、制御部２１は、画像認識処理結果のデータを処理サーバ１に送信する（ステップＳ１６）。本ステップにおいて、制御部２１は、少なくとも異常のあった道路設備の位置を示す設備位置情報を、異常情報として処理サーバ１に送信する。また、本ステップにおいて、制御部２１は、異常のあった道路設備の設備位置情報に加えて、異常のあった道路設備を含む道路画像と、当該道路設備の異常の原因とを、異常情報として処理サーバ１に送信してもよい。
【００６０】
以上説明したような実施形態に係る道路異常検知装置、道路異常検知方法および道路異常検知プログラムの変形例によれば、車両２側で画像認識処理を行うことにより、処理サーバ１側の負担を減らすことができる。
【００６１】
以上、本発明に係る道路異常検知装置、道路異常検知方法および道路異常検知プログラムについて、発明を実施するための形態により具体的に説明したが、本発明の趣旨はこれらの記載に限定されるものではなく、特許請求の範囲の記載に基づいて広く解釈されなければならない。また、これらの記載に基づいて種々変更、改変等したものも本発明の趣旨に含まれることはいうまでもない。
【００６２】
さらなる効果や変形例は、当業者によって容易に導き出すことができる。よって、本発明のより広範な態様は、以上のように表わしかつ記述した特定の詳細および代表的な実施形態に限定されるものではない。したがって、添付のクレームおよびその均等物によって定義される総括的な発明の概念の精神または範囲から逸脱することなく、様々な変更が可能である。
【符号の説明】
【００６３】
１  処理サーバ
１１  制御部
１１１  画像認識部
１２  通信部
１３  記憶部
１３１  正解情報ＤＢ
１３２  異常情報ＤＢ
２  車両
２１  制御部
２２  通信部
２３  記憶部
２３１  道路画像ＤＢ
２４  測位部
２５  撮像部
３  道路管理者サーバ
ＮＷ  ネットワーク
Ｒｓ１，Ｒｓ２  中央線
Ｒｓ３  外側線
Ｒｓ４  停止線
Ｒｓ５  横断歩道
Ｒｓ６  横断歩道予告標示
Ｒｓ７  速度規制標示
Ｒｓ８  右折矢印
Ｒｓ９  ガードレール
【図１】
2020170314.tif 000003
【図２】
2020170314.tif 000004
【図３】
2020170314.tif 000005
【図４】
2020170314.tif 000006